(57)【要約】      （修正有） 【課題】洗濯物に花粉や埃が付かず、雨や夜露に濡れる心配がないと共に、洗濯物の取り込みが簡単となる洗濯ハンガー用シートカバーを提供する。【解決手段】洗濯物５が吊下された洗濯用ハンガー４の周囲全体を覆うと共に通気性及び防水性を有する立体的或いは袋状のシートカバー本体１と、該シートカバー本体１の上部中央には洗濯用ハンガー４のフック部41が通過可能に設けられた伸縮穴２と、前記シートカバー本体１に設けた開閉可能な開閉手段３とから構成する。また開閉手段３としてチャックテープ或いは面ファスナーを用いると共に、その設ける位置を、立体的なシートカバー本体１の場合には、その一面を開口面11と成し、該開口面11の３辺に開閉手段３を設けると良く、袋状のシートカバー本体１の場合には、その下部に開閉手段３を設けると良い。又、前記シートカバー本体１としては透明或いは黒色を用いるのが好ましい。【選択図】図１
0003142939.tif 000002
【実用新案登録請求の範囲】
【請求項１】
洗濯物（５）が吊下された洗濯用ハンガー（４）の周囲全体を覆うと共に通気性及び防水性を有する立体的なシートカバー本体（１）と、該シートカバー本体（１）の上部中央には前記洗濯用ハンガー（４）のフック部（41）が通過可能に設けられた伸縮穴（２）と、前記シートカバー本体（１）に設けた開閉可能な開閉手段（３）とから構成したことを特徴とする洗濯ハンガー用シートカバー。
【請求項２】
前記シートカバー本体（１）の一面を開口面（11）と成し、該開口面（11）の３辺に開閉手段（３）が設けられた請求項１記載の洗濯ハンガー用シートカバー。
【請求項３】
洗濯物（５）が吊下された洗濯用ハンガー（４）の周囲全体を覆うと共に通気性及び防水性を有する袋状のシートカバー本体（１）と、該シートカバー本体（１）の上部中央には前記洗濯用ハンガー（４）のフック部（41）が通過可能に設けられた伸縮穴（２）と、前記シートカバー本体（１）の下部に設けた開閉可能な開閉手段（３）とから構成したことを特徴とする洗濯ハンガー用シートカバー。
【請求項４】
前記シートカバー本体（１）が透明である請求項１、２又は３記載の洗濯ハンガー用シートカバー。
【請求項５】
前記シートカバー本体（１）が黒色である請求項１、２又は３記載の洗濯ハンガー用シートカバー。
【請求項６】
前記開閉手段（３）が面ファスナーである請求項１、２又は３記載の洗濯ハンガー用シートカバー。
【請求項７】
前記開閉手段（３）がチャックテープである請求項３記載の洗濯ハンガー用シートカバー。
【考案の詳細な説明】
【技術分野】
【０００１】
本考案は洗濯物に花粉や埃が付かない花粉対策を施した密閉可能な洗濯ハンガー用シートカバーに関する。
【背景技術】
【０００２】
従来、洗濯ハンガー用カバーとしては、実開平６−３５６９３号「目かくしカバー付きピンチハンガー」や実用新案登録第３１１０９３１号「洗濯ハンガー用カバー」などが提案されている。この実開平６−３５６９３号は、洗濯物をつり下げるピンチハンガーの外周の全部又は一部にカバーを設けたものであり、その目的は、ピンチハンガーに干した洗濯物を他人から見えにくくし、かつ、洗濯物にほこりなどが付着しにくくするためのものであった。又、実用新案登録第３１１０９３１号は、洗濯ハンガーに装着するカバーが、周側面と上面を有する円筒状あるいは角筒状に形成され、上面中央には吊下具を通すための穴を形成し、周側面の縦の長さを上面の縦や横よりも長く形成し、柔軟性と通気性と不透視性あるいは半不透視性を有する塩化ビニール樹脂、ナイロン樹脂またはポリエステル製布、ネットまたは紙で周側面と上面が形成され、周側面と上面に複数の色を使った柄が施された構造のものであった。また実用新案登録第３１１０９３１号の目的は、女性の下着等の盗難を防止し、個人のプライバシーを保護し、他人に洗濯物を見られないようにしたものである。
【０００３】
しかしながら実開平６−３５６９３号は、側面は覆われているが、上下は開放されているため、雨や夜露に濡れてしまうと共に本願のような略完全に花粉対策が施されることは不可能であった。一方、実用新案登録第３１１０９３１号は、下方が開放されているため、風が下方から入り込み、カバーを捲り上げて洗濯物が露出される恐れがあるため、花粉や埃が洗濯物に付き易くなると共に、カバーが捲り上げられなくても、下方から花粉や埃が入り込み、花粉対策効果は低いものである。しかも、花粉対策を施す発想もなく、そのような記載もないものであった。
【特許文献１】実開平６−３５６９３号公報
【特許文献２】実用新案登録第３１１０９３１号公報
【考案の開示】
【考案が解決しようとする課題】
【０００４】
本考案は洗濯物に花粉や埃が付かず、雨や夜露に濡れる心配がないと共に、洗濯物の取り込みが簡単となる洗濯ハンガー用シートカバーを提供することを目的とする。
【課題を解決するための手段】
【０００５】
本考案は上記現状に鑑み成されたものであり、つまり、洗濯物が吊下された洗濯用ハンガーの周囲全体を覆うと共に通気性及び防水性を有する立体的或いは袋状のシートカバー本体と、該シートカバー本体の上部中央には洗濯用ハンガーのフック部が通過可能に設けられた伸縮穴と、前記シートカバー本体に設けた開閉可能な開閉手段とから構成する。また開閉手段としてチャックテープ或いは面ファスナーを用いると共に、その設ける位置を、立体的なシートカバー本体の場合には、その一面を開口面と成し、該開口面の３辺に開閉手段を設けると良く、袋状のシートカバー本体の場合には、その下部に開閉手段を設けると良い。又、前記シートカバー本体としては透明或いは黒色を用いるのが好ましい。尚、本考案で言う「立体的」とは、略長方体や箱形状などを示すが、一般的な平面状の袋に対して、立体状である状態を指すものとする。
【考案の効果】
【０００６】
請求項１のように洗濯物（５）が吊下された洗濯用ハンガー（４）の周囲全体を覆うと共に通気性及び防水性を有する立体的なシートカバー本体（１）と、該シートカバー本体（１）の上部中央には洗濯用ハンガー（４）のフック部（41）が通過可能に設けられた伸縮穴（２）と、シートカバー本体（１）に設けた開閉可能な開閉手段（３）とから構成することにより、洗濯物（５）に花粉や埃が付かず、雨や夜露に濡れる心配がないと共に、洗濯物（５）の取り込みが簡単となる。従って、本考案品は特に花粉対策を施せるものとなると共に突然の雨に対しても洗濯物（５）が濡れずに対処でき、且つ、夜に洗濯物（５）を安心して干すことができるものとなるため、早朝出勤する人や帰宅が遅い人などには重宝なものとなる。更に洗濯用ハンガー（４）が風雨にさらされないので、その風化や劣化が遅くなる。しかも、洗濯物（５）を取り込む際に、シートカバー本体（１）を閉じたまま室内にまとめて取り込むことが出来る。更に洗濯物（５）に直接強い風が当たらないため、洗濯物（５）が落ちたり、ずれたりすることも防止できるものとなる。
【０００７】
請求項２のようにシートカバー本体（１）の一面を開口面（11）と成し、該開口面（11）の３辺に開閉手段（３）を設けることにより、洗濯物（５）を干したり取り外したりすることが容易となる。このため、洗濯用ハンガー（４）にシートカバー本体（１）を装着したまま使用が出来るものとなる。
【０００８】
請求項３に示すように洗濯物（５）が吊下された洗濯用ハンガー（４）の周囲全体を覆うと共に通気性及び防水性を有する袋状のシートカバー本体（１）と、該シートカバー本体（１）の上部中央には洗濯用ハンガー（４）のフック部（41）が通過可能に設けられた伸縮穴（２）と、シートカバー本体（１）の下部に設けた開閉可能な開閉手段（３）とから構成することにより、請求項１と同様な効果が得られると共にシートカバー本体（１）を洗濯用ハンガー（４）から外した際、シートカバー本体（１）を簡単に折畳んで嵩張らずに保管できるものとなる。
【０００９】
請求項４に示すようにシートカバー本体（１）を透明にすることにより、シートカバー本体（１）内部に太陽光が差込み、乾き具合が良好になると共に太陽熱による殺菌効果も得られるものとなる。
【００１０】
請求項５のようにシートカバー本体（１）を黒色にすることにより、シートカバー本体（１）が太陽光を吸収してその内部温度を上昇させることが出来るため、その熱による殺菌効果、特にクッションや座布団などをシートカバー本体（１）内部に入れておくと、ダニなどを完全に駆除することが可能なものとなると共に厚手の衣類や革製品などを入れて虫干しすることも可能となる。更に他人に洗濯物（５）を見られないようにすることができる。
【００１１】
請求項６のように開閉手段（３）を面ファスナーにすると、取り扱いが簡単で且つ開閉が素早く行えるものとなる。
【００１２】
請求項７に示すように開閉手段（３）をチャックテープにすると、シートカバー本体（１）の密閉状態が確実なものとなる。
【考案を実施するための最良の形態】
【００１３】
図１、図３は本考案の実施形態を示す図であり、これに基づき説明する。(１)は洗濯物（５）が吊下された洗濯用ハンガー（４）の周囲全体を覆うと共に通気性及び防水性を有する立体的なシートカバー本体であり、該シートカバー本体（１）の正面を開口面（11）と成すと良いが、正面以外の他の面でも良い。又、前記シートカバー本体（１）の色としては透明或いは黒色とするのが好ましいが、これに限定されるものではなく、例えば色物や柄物のシートやネットを用いても良い。また前記シートカバー本体（１）の材料としては、合成樹脂製や布製のシート或いはネットなどを用いるのが好ましい。尚、前記開口面（11）の開く方向は、図中のように上開きに限定されるものではなく、例えば下開きや横開きとしても良い。
【００１４】
（２）はシートカバー本体（１）の上部中央に設けたゴム入りの伸縮穴であり、該伸縮穴（２）としては洗濯用ハンガー（４）のフック部（41）が通過可能である大きさであれば良い。尚、前記洗濯用ハンガー（４）としては、図中に示す複数本のハンガーが並べられたものや、図示しない洗濯バサミを多数個吊下したものを用いれば良く、洗濯で一般的に使用されるものである。（３）はシートカバー本体（１）の開口面（11）の３辺に設けた開閉可能な開閉手段であり、該開閉手段（３）としては面ファスナーを用いるのが好ましいが、開口面（11）が開閉可能となれば、他のものでも良い。
【００１５】
図２、図４は本考案の別実施形態を示す図であり、これは前記実施形態に比べ、前記シートカバー本体（１）の形状が図５に示すように平面的な袋状であり、該シートカバー本体（１）の下部だけが開口可能である。又、前記シートカバー本体（１）の下部だけに開閉手段（３）が設けられている。他は同一である。
【００１６】
次に本考案の使用方法について説明する。先ず始め洗濯用ハンガー（４）のフック部（41）を伸縮穴（２）に挿入し、そのフック部（41）をシートカバー本体（１）の外部に出す。その後、図示しない物干竿にフック部（41）を掛ける。次に洗濯物（５）を開口面（11）から入れて内部のハンガーに掛けて吊下させて行く。この時、シートカバー本体（１）の正面が開口された状態で洗濯物（５）をハンガーに掛けて行けば良い。所定の洗濯物（５）が吊下された時点或いは全てのハンガーに掛けられた時点で、正面の３辺に、持上げられていた布の周囲を押付けることにより、面ファスナーの開閉手段（３）でシートカバー本体（１）の内部が密閉される。従って、洗濯用ハンガー（４）に吊下された洗濯物（５）は、通気性及び防水性を有したシートカバー本体（１）で覆われた状態で乾かすことが可能となる。この時、シートカバー本体（１）として透明なものを用いた時には、太陽光が内部に差込み、乾き具合が良好になると共に太陽熱による殺菌効果も得られるものとなる。又、シートカバー本体（１）として黒色なものを用いた時には、太陽光を吸収してその内部温度を上昇させることが出来るため、その熱による殺菌効果、特にクッションや座布団などをシートカバー本体（１）内部に入れておくと、ダニなどを完全に駆除することが可能なものとなると共に厚手の衣類や革製品などを入れて虫干しすることも可能となる。しかも洗濯物（５）の乾き具合が早まるものとなる。更に他人に見られたくない下着類を干すのに適したものとなる。
【００１７】
洗濯物（５）が乾き、室内に取り込む場合は、物干竿から外したまま取り込み、正面の開閉手段（３）を解除して開口させ、ハンガーから洗濯物（５）を順次取り外せば良い。その後、本考案品と洗濯用ハンガー（４）をそのまま保管しても良いが、本考案品から洗濯用ハンガー（４）を外して保管しても良い。尚、本考案品を装着したまま洗濯用ハンガー（４）を保管した場合には、次に洗濯物（５）を干す時には、フック部（41）を物干竿に掛ければ、洗濯干し作業が直ぐに行えるものとなる。
【００１８】
図２の場合の使用方法について説明する。先ず始め洗濯物（５）を洗濯用ハンガー（４）に、従来通り吊下する。次にシートカバー本体（１）の下部から洗濯用ハンガー（４）全体を挿入すると共にそのフック部（41）を伸縮穴（２）に挿入して外部に出す。そして前記物干竿にフック部（41）を掛ける。その後、シートカバー本体（１）の下部に設けた開閉手段（３）で密閉することにより、洗濯物（５）は、通気性及び防水性を有したシートカバー本体（１）で覆われた状態で乾かすことが可能となる。
【００１９】
洗濯物（５）が乾き、室内に取り込む場合は、物干竿から外したまま取り込み、開閉手段（３）を解除して開くことにより、シートカバー本体（１）の下部から洗濯物（５）を順次取り外せば良い。その後、洗濯用ハンガー（４）をシートカバー本体（１）から外し、それぞれを保管しておくのが良い。この時、シートカバー本体（１）は図５のように平面にし、それを畳んで小さくしてから保管しておけば良い。
【００２０】
このようにして本考案品を用いて洗濯物（５）を干せば、飛散する花粉や塵などから完全に守ることができ、特に花粉対策が略完全に施されたものとなるのである。
【図面の簡単な説明】
【００２１】
【図１】本考案の実施形態を示す斜視図である。
【図２】本考案の別実施形態を示す斜視図である。
【図３】図１の縦断面状態を示す説明図である。
【図４】図２の縦断面状態を示す説明図である。
【図５】別実施形態で使用する前の状態を示す説明図である。
【符号の説明】
【００２２】
１  シートカバー本体
11  開口面
２  伸縮穴
３  開閉手段
４  洗濯用ハンガー
41  フック部
５  洗濯物
【図１】
0003142939.tif 000003
【図２】
0003142939.tif 000004
【図３】
0003142939.tif 000005
【図４】
0003142939.tif 000006
【図５】
0003142939.tif 000007